(57)【要約】【課題】データの転送処理作業をなくし、且つ大量のメールデータを複数の端末機器間で共有化して使用するためのメールデータ共有化システムを提供する。【解決手段】パソコン１や携帯電話５は、送受信したメールデータをフォーマット変換手段（メーラ４，４’）によってＣＳＶ形式フォーマットに変換してメモリカード２に格納しておく。これにより、メモリカード２はパソコン１と携帯電話５とで共通のメールデータを保有することになる。パソコン１は、ＵＳＢ３を介して、メモリカード２から自己の取得要求に応じたＣＳＶ形式フォーマットのメールデータを受信し、このメールデータを使用可能なデータフォーマットに変換して表示することによりメールデータを共有する。携帯電話５も、ＵＳＢ３及び変換アダプタ６を介して、メモリカード２から上記と同様の方法でメールデータを取り込んで表示させればメールデータを共有する。【選択図】　　　　図１
2004129030.tif 000002
【特許請求の範囲】
【請求項１】
複数の端末機器がメールデータを共有化して電子メール機能を共通に保持するためのメールデータ共有化システムであって、
送受信したメールデータをＣＳＶ形式フォーマットに変換するためのフォーマット変換手段を有する端末機器と、
前記フォーマット変換手段によってＣＳＶ形式フォーマットに変換されたメールデータを格納するメモリカードとを備え、
前記端末機器が前記メモリカードから自己の取得要求に応じたＣＳＶ形式フォーマットのメールデータを取得し、このメールデータを使用可能なデータフォーマットに変換して表示することにより、他の端末機器との間でメールデータを共有するメールデータ共有化システム。
【発明の詳細な説明】
【０００１】
【発明の属する技術分野】
本発明は、携帯電話、モバイル端末、およびパソコンなどの各種の端末機器がメールデータを共有化して電子メール機能を共通に持つためのメールデータ共有化システムに関するものであり、より詳細には、各種の端末機器がインターネット環境下やイントラネット環境下において電子メールの送受信を行う場合に、メールデータを共有化して電子メール機能を共通に保持するためのメールデータ共有化システムに関するものである。
【０００２】
【従来の技術】
複数の端末機器でメールデータを共有化する技術として、例えば、携帯電話の電話帳情報を、データセンタを経由してパソコンにバックアップさせるようにしたものが知られる（例えば、特許文献１参照）。つまり、携帯電話が持っている電話帳情報を、データセンタを経由してパソコンに送信し、パソコンではその電話帳情報を編集してデータセンタを経由して携帯電話に返信する。これによって、携帯電話は必要に応じてパソコンから電話帳情報を取得して上書きすることができる。この場合、携帯電話とパソコンの間では電話帳情報をＣＳＶ（Ｃｏｍｍａ　Ｓｅｐａｒａｔｅｄ　Ｖａｌｕｅ　：カンマ区切り）フォーマットに変換して送受信しているので、携帯電話は専用のプログラムを使わなくてもデータ変換を行うことができる。
【０００３】
また、他の例として、ＩＳＰ（Ｉｎｔｅｒｎｅｔ　Ｓｅｒｖｉｃｅ　Ｐｒｏｖｉｄｅｒ）情報やメールアカウント情報が記憶されていない端末機器が、ＩＳＰ情報やメールアカウント情報を格納したメモリカードを自己に装填することによって電子メール機能の使用を可能にする技術が知られている（例えば、特許文献２参照）。予め、メモリカードにメールデータを格納しておけば、端末機器はこのメモリカードからメールデータを取り込んで電子メールを送信することができるし、また、端未機器が受信したメールデータをメモリカードに上書きして更新することもできる。この技術の場合は、ＣＳＶフォーマットの変換機能を備えていないので、端末機器はデータ変換用の専用プログラムを備える必要がある。
【０００４】
図３は、ＣＳＶ変換機能を備えない従来のデータ転送システムの概念図である。つまり、この図はパソコン１１と携帯電話１２との間でデータ変換を行ってデータ転送する場合のデータ転送システムの概念を示している。図３に示すように、ＣＳＶ変換機能を備えない従来のデータ転送システムにおいては、パソコン１１と携帯電話１２の間でメールデータを共有して使用する場合は、パソコン１１と携帯電話１２の間を専用ケーブル１３または汎用ケーブルで接続する。そして、パソコン１１に備えられたメーラ（電子メールソフト）１５によって電子メール機能を立ち上げた後、データ転送・変換フログラム１４によってデータ変換してから携帯電話１２へメールデータの転送を行うことにより、パソコン１１と携帯電話１２とでメールデータを共有化して使用している。
【０００５】
【特許文献１】
特開２００１−１７７６２４号公報（第５−７頁、図１）
【特許文献２】
特開２０００−３３０９０４号公報（第５頁）
【０００６】
【発明が解決しようとする課題】
しかしながら、図３に示すように、パソコン１１がデータ転送・変換フログラム１４を用いてデータ変換してから転送を行う方式では、以下に述べるような種々の問題がある。一つ目の問題は、メールデータを共有化して使用する場合は、パソコン１１と携帯電話１２というように複数の端末機器間で転送処理を行う必要があるため、データ転送してメールデータを共有化するためには必ず複数の端末機器が必要となる。このため、頻繁に端末機器を使い分ける場合はメールデータを転送するために無駄な処理を費やしたり、通信系統を輻輳状態に陥らせることがある。二つ目の問題は、携帯電話１２を含めたモバイル情報システムは、メモリサイズが小さいためにメール情報の保有容量に制限がある。このため、パソコン１１などのような保存領域の大きいシステムよりデータを転送する場合には全データを携帯電話１２などのモバイル情報システムへ転送することが不可能な場合がある。
【０００７】
また、特許文献２（特開２０００−３３０９０４号公報）の技術は、複数の端末機器を用いることなく、一つの端末機器がメモリカードからＩＳＰ情報やメールアカウント情報を取り込むことによって電子メール機能を立ち上げることができるが、ＣＳＶフォーマットの変換機能を備えていないし、端末機器が携帯電話のように小さい場合は図３に示すようなデータ転送・変換プログラムを備えることもできない。したがって、メモリカードからＩＳＰ情報やメールアカウント情報程度の最小限の電子メール情報は取り込むことができるものの、所望するメールデータの全てをデータ変換しながら取り込むことはできない。また、特許文献１（特開２００１−１７７６２４号公報）の技術は、携帯端末とパソコンは無線で通信を行っているので、図３のシステムような専用ケーブルは不要となるが、依然として、メールデータを共有化するためには少なくとも２台の端末機器が必要となるなどの問題がある。さらには、複数の端末機器間でデータ転送を行うたび通信資源を浪費するという問題も解消されない。
【０００８】
本発明は、このような事情に鑑みてなされたものであり、その目的とするところは、データの転送処理作業をなくし、且つ大量のメールデータを複数の端末機器間で共有化して使用できるようにしたメールデータ共有化システムを提供することにある。
【０００９】
【課題を解決するための手段】
上記の目的を達成するため、本発明のメールデータ共有化システムは、複数の端末機器がメールデータを共有化して電子メール機能を共通に保持するためのメールデータ共有化システムであって、送受信したメールデータをＣＳＶ形式フォーマットに変換するためのフォーマット変換手段を有する端末機器と、前記フォーマット変換手段によってＣＳＶ形式フォーマットに変換されたメールデータを格納するメモリカードとを備え、前記端末機器が前記メモリカードから自己の取得要求に応じたＣＳＶ形式フォーマットのメールデータを取得し、このメールデータを使用可能なデータフォーマットに変換して表示することにより、他の端末機器との間でメールデータを共有するものである。
【００１０】
本発明のメールデータ共有化システムは、パソコンや携帯端末などの端末機器が受信または送信したメールデータをＣＳＶ形式フオーマット変換し、変換されたメールデータをフラッシュメモリなどのメモリカードに記憶しておく。そして、メールデータを記憶したメモリカードをパソコンや携帯端末などの端末機器に装着して、パソコンや携帯端末などの携帯端末とメモリカードとをＵＳＢケーブルによって接続する。これにより、パソコンや携帯端未は、メモリカードから自己の取得要求に応じたＣＳＶ形式フォーマットのメールデータを受信し、このメールデータをパソコンや携帯端未が使用可能なデータフォーマットに変換して表示することにより、メールデータを共有化して電子メール機能を共通に保持することができる。例えば、メールデータを記憶させたメモリカードを持ち歩き、任意の場所で携帯端末にメモリカードを装着・接続することによって、何処にいても、自宅にあるパソコンとメールデータを共有化してその携帯端末に電子メール機能を持たせることができる。
【００１１】
【発明の実施の形態】
以下、図面を用いて、本発明におけるメールデータ共有化システムの実施の形態を詳細に説明する。先ず、本発明におけるメールデータ共有化システムの概念について説明する。本発明におけるメールデータ共有化システムは、パソコンや携帯電話が送信／受信したメールデータをＣＳＶ形式にフォーマット変換し、変換されたメールデータをフラッシュメモリなどのメモリカードに記憶させておく。そして、このメモリカードに記憶されたＣＳＶ形式にフォーマットのメールデータをパソコンや携帯端末に表示することによってメモリデータを共有する。このとき、パソコンや携帯端末とメモリカードの間のインタフェースにはＵＳＢや変換アダプタを用いる。これによって、複数の端末機器の間でメールデータの変換・転送を行うことなく、各端末機器はメールデータを共有することができる。
【００１２】
次に、本発明におけるメールデータ共有化システムの具体的な構成について、パソコンと携帯電話との間でメールデータを共有化する場合を例に挙げて説明する。図１は、本発明のメールデータ共有化システムにおいてパソコンと携帯電話との間でメールデータを共有化する場合の概念図であり、（ａ）はパソコンがメールデータを取り込む状態、（ｂ）は携帯電話がメールデータを取り込む状態を示している。
【００１３】
図１に示すメールデータ共有化システムは、複数の端末機器（パソコン１及び携帯電話５）がメールデータを共有化して電子メール機能を共通に保持するためのメールデータ共有化システムである。図１（ａ）に示すような、パソコン１がメモリカード２からメールデータを取り込む場合のメールデータ共有化システムの構成は、送受信したメールデータをＣＳＶ形式フォーマットに変換するためのフォーマット変換手段（メーラ４）を有するパソコン１と、フォーマット変換手段（メーラ４）によってＣＳＶ形式フォーマットに変換されたメールデータを格納するメモリカード２と、パソコン１とメモリカード２とを通信接続するためのインタフェースであるＵＳＢ３とを備えている。そして、パソコン１が、ＵＳＢ３を介して、メモリカード２から自己の取得要求に応じたＣＳＶ形式フォーマットのメールデータを受信し、このメールデータを使用可能なデータフォーマットに変換して表示することにより、メールデータを共有する。また、このメールデータ共有化システムは、パソコン１が送信／受信したメールデータをＣＳＶ形式にフォーマット変換し、変換されたメールデータをメモリカード２に記憶させておく。
【００１４】
また、図１（ｂ）に示すような、携帯電話５がメモリカード２からメールデータを取り込む場合のメールデータ共有化システムの構成は、送受信したメールデータをＣＳＶ形式フォーマットに変換するためのフォーマット変換手段（メーラ４’）を有する携帯電話５と、フォーマット変換手段（メーラ４’）によってＣＳＶ形式フォーマットに変換されたメールデータを格納するメモリカード２と、携帯電話５とメモリカード２とを通信接続するためのインタフェースであるＵＳＢ３及び変換アダプタ６とを備えている。そして、携帯電話５が、変換アダプタ６及びＵＳＢ３を介して、メモリカード２から自己の取得要求に応じたＣＳＶ形式フォーマットのメールデータを受信し、このメールデータを使用可能なデータフォーマットに変換して表示することにより、メールデータを共有する。また、このメールデータ共有化システムは、携帯電話５が送信／受信したメールデータをＣＳＶ形式にフォーマット変換し、変換されたメールデータをメモリカード２に記憶させておく。
【００１５】
つまり、パソコン１のメールデータと携帯電話５のメールデータを共通のメモリカード２に記憶させておけば、パソコン１がメモリカード２からメールデータを取り込んだ場合と、携帯電話５がメモリカード２からメールデータを取り込んだ場合とで、メモリデータを共有化して電子メール機能を共通に保持することができる。このようなメモリデータ共有化システムによれば、メールデータが記憶されている１枚のメモリカードをパソコン１や携帯電話５など所望の端末機器に接続すれば、それらの端末機器は全てメールデータを共有化して電子メール機能を共通に持つことができる。
【００１６】
本発明のメールデータ共有化システムでは、メールデータは全てＣＳＶ形式のデータとしている。図２は、ＣＳＶフォーマットによるメールデータ形式の一例を示す図である。メールデータのフォーマットを全てＣＳＶ形式として各端末機器間（パソコン１と携帯電話５）でメールデータの共通化を図ることにより、データ変換しないくても各端末機器（パソコン１と携帯電話５）はデータ転送を行うことができる。つまり、現在のメーラ（電子メールソフト）の殆どがデータをＣＳＶ形式ヘエクスポート（読み込み及び書き出し）することができるため、メールデータをそのまま転送に使用することができる。
【００１７】
図２に示すように、ＣＳＶフォーマットは各データ項目がカンマで区切られたデータ保存形式であり、データを他のソフトに移動したり、他のパソコンに移動するときは、通常、このようなＣＳＶフォーマットでデータを保存して移動先のソフトウエアで読み込ませるようにしている。また、殆どのデータベースソフトや表計算ソフトはこのようなＣＳＶフォーマットのデータ保存形式をサポートしているので、本発明におけるメールデータ共有化システムは汎用のパソコンや汎用の携帯電話で実現することができる。
【００１８】
次に、転送に使用するメールデータの選択について説明する。使用するメールデータは、各端末機器（パソコン１及び携帯電話５）によって任意に選択できるようにすることにより、各端末機器（パソコン１及び携帯電話５）は不必要なデータの読み込み処理が発生することなくメール操作を行うことができる。このことにより、各端未機器（パソコン１及び携帯電話５）の仕様にマッチした処理速度でデータ転送を行うことができる。例えば、ＡＤＳＬやＦＴＴＨ（光ファイバ）で高速通信を行うパソコンなどの場合は、それぞれの通信速度に対応した速さの処理速度でデータ転送を行うことができる。
【００１９】
次に、メールデータのメモリカード２への保存方法について説明する。図１（ａ）、（ｂ）に示すように、メールデータの保存には、ＵＳＢ３が接続されたフラッシュメモリなどのメモリカード２を使用する。ＵＳＢ３が接続されたメモリカード２を使用することによりパソコン１への接続が容易になる。また、図１（ｂ）に示すように、携帯電話５やモバイル端末などを使用する場合は、メモリカード２に接続されたＵＳＢ３から変換アダプタ６を接続することによって使用可能となる。さらに、メモリカード２として使用するフラッシュメモリは一般に市販されているもので、１ギガバイトで長さ９ｃｍ、重さ３０ｇ以下と小型化が進み、携帯電話やモバイル端未と共に持ち歩くことが容易になっている。また、フラッシュメモリをもっていることにより、ＵＳＢ接続可能な端末機器があれば、個人の端末機器を持ち歩くことなく如何なる場所でもメールの送受信が可能となる。
【００２０】
以上述べた実施の形態は本発明を説明するための一例であり、本発明は、上記の実施の形態に限定されるものではなく、発明の要旨の範囲で種々の変形が可能である。上記の実施の形態はパソコンと携帯電話とでメールデータを共有化する場合について述べたが、これに限ることはなく、パソコンとモバイル端末、あるいはＰＤＡ（Ｐｅｒｓｏｎａｌ　Ｄｉｇｉｔａｌ　Ａｓｓｉｓｔａｎｔ）など、あらゆる端末機器間でメールデータを共有化することができるのは云うまでもない。
【００２１】
【発明の効果】
以上説明したように、本発明のメールデータ共有化システムによれば、貴重な通信資源を使って各端末機器間でメールデータを転送処理することなく、各端末機器はメールデータを共有化することができる。また、携帯電話などのようなメモリ容量の小さい端末機器であっても、大きな容量のメールデータを取り込んで共有化することができる。したがって、本発明によれば、各端末機器におけるメールデータ共有の簡易化、並びにメールデータサイズの許容範囲の拡大化を実現することができる。
【図面の簡単な説明】
【図１】本発明のメールデータ共有化システムにおいてパソコンと携帯電話との間でメールデータを共有化する場合の概念図であり、（ａ）はパソコンがメールデータを取り込む状態、（ｂ）は携帯電話がメールデータを取り込む状態を示している。
【図２】ＣＳＶフォーマットによるメールデータ形式の一例を示す図である。
【図３】ＣＳＶ変換機能を備えない従来のデータ転送システムの概念図である。
【符号の説明】
１，１１　パソコン、２　メモリカード、３　ＵＳＢ、４，４’，１５　メーラ（電子メールソフト）、５，１２　携帯電話、６　変換アダプタ、１３　専用ケーブル、１４　データ転送・変換プログラム。
【図１】
2004129030.tif 000003
【図２】
2004129030.tif 000004
【図３】
2004129030.tif 000005